(57)【要約】      （修正有）【課題】火災警報器の再グループ化を容易にかつ迅速に行える火災報知システムを提供する。【解決手段】火災警報システムは、火災検知部３と、他の火災警報器２との間で無線信号を送受信する送受信部４と、火災発生を報知する報知部５と、各火災警報器２のＩＤ番号を記憶する記憶部６と、返答信号に付与されたＩＤ番号と記憶部６に記憶されたＩＤ番号とを対照し、返答信号を受信できない他の火災警報器２があるときには報知部５から異状を報知する点検手段７と、記憶部６に記憶されたＩＤ番号から返答信号を受信できない他の火災警報器のＩＤ番号を除いたＩＤ番号が自動的にまたは手動操作により設定されたときに、当該ＩＤ番号を記憶部６に上書きするように記憶する設定手段８とを具備する火災警報器２が連動動作可能に複数配設されている。【選択図】図２
2011232994.tif 000002
【特許請求の範囲】
【請求項１】
火災を検知する火災検知部と；
他の火災警報器との間で無線信号を送受信する送受信部と；
火災検知部が火災を検知したときにまたは送受信部が他の火災警報器から送信された火災信号を受信したときに火災発生を報知する報知部と；
自己のＩＤ番号および無線信号を送受信する他の火災警報器のＩＤ番号を記憶する記憶部と；
点検信号を送受信部から送信するとともに、他の火災警報器から送信された点検信号を受信したときには自己のＩＤ番号を付与した返答信号を送信し、自己が送信した点検信号に対する他の火災警報器からの返答信号を入力し、当該返答信号に付与されたＩＤ番号と記憶部に記憶されたＩＤ番号とを対照して返答信号を受信できない他の火災警報器があるか否かを判定し、返答信号を受信できない他の火災警報器があるときには報知部から異状を報知する点検手段と；
記憶部に記憶されたＩＤ番号から前記返答信号を受信できない他の火災警報器のＩＤ番号を除いたＩＤ番号が自動的にまたは手動操作により設定されたときに、当該設定されたＩＤ番号を記憶部に上書きするように記憶する設定手段と；
を具備する火災警報器が連動動作可能に複数配設されていることを特徴とする火災警報システム。
【請求項２】
点検手段は、送受信部が所定期間に亘って点検信号を受信しないときには、点検信号を送受信部から送信することを特徴とする請求項１記載の火災警報システム。
【請求項３】
点検手段は、自己のＩＤ番号を付与した返答信号を送受信部から送信したときに、これを報知部から予め設定された設定期間に亘って報知することを特徴とする請求項１または２記載の火災警報システム。
【請求項４】
点検手段は、自己のＩＤ番号を付与した点検信号を送受信部から送信するとともに、送受信部が受信した他の火災警報器から送信された点検信号および返答信号を入力し、点検信号および返答信号に付与されたそれぞれのＩＤ番号と記憶部に記憶されたＩＤ番号とを対照して返答信号を受信できない他の火災警報器があるか否かを判定することを特徴とする請求項１ないし３いずれか一記載の火災警報システム。
【発明の詳細な説明】
【技術分野】
【０００１】
本発明は、火災発生を検知する火災検知部を有し、無線により火災信号を送受信する火災警報器が連動動作するように複数配設される火災警報システムに関する。
【背景技術】
【０００２】
住宅用火災警報器は、屋内の各部屋などにそれぞれ配設され、互いに連動動作するように構成されている。そして、最近では、住宅用火災警報器同士で無線信号を送受信する住宅用火災警報システムが用いられている（例えば特許文献１参照。）。すなわち、例えば１つの住宅用火災警報器が火災発生時に警報を発したときに無線信号を送信し、屋内に配設される他の複数の住宅用火災報知器がこの無線信号を受信して警報を発することにより、火災発生を屋内の人たちに迅速に告知できるようにしている。
【０００３】
そして、無線信号の伝播範囲内に、近隣住宅の同種の住宅用火災警報器が存在する場合があるので、近隣住宅の住宅用火災警報器が無線信号を受け付けて警報出力しないように、各住宅用火災警報器に識別コード（アドレス情報）が設けられている（例えば特許文献２参照。）。すなわち、住宅用火災警報システムの住宅用火災警報器は、グループ化されている。また、各住宅用火災警報器は、特許文献１，２に示すように、１個の親機と残りの子機に区分されて、親機が各子機の識別コードを記憶して管理するようにしている。
【０００４】
そして、親機の住宅用火災警報器から試験信号（点検信号）を送信させ、各住宅用火災警報器が火災発生時に警報を発するか否かの確認が行われている。
【先行技術文献】
【特許文献】
【０００５】
【特許文献１】特開２００９−２３８２５０号公報（第６−７頁、第１図）
【特許文献２】特開２００８−３３４２８号公報（第４頁、第２図）
【発明の概要】
【発明が解決しようとする課題】
【０００６】
特許文献１，２に示す住宅用火災警報システムは、例えば子機の住宅用火災警報器の間に金属棚などの電波障害物が設置されると、当該電波障害物よりも親機側および非親機側にそれぞれ設けられた住宅用火災警報器が互いに電波を送受信できなくなることがある。ここで、親機の住宅用火災警報器が子機の各住宅用火災警報器の識別コードを管理しているので、電波障害物よりも非親機側の住宅用火災警報器は、火災発生を検知しても、警報を発することができなくなる。
【０００７】
したがって、各住宅用火災警報器は、親機側および非親機側においてグループ化する必要がある。この場合、親機の住宅用火災警報器は、記憶している識別コードを消去した後、電波障害物よりも親機側の住宅用火災警報器に対して、再度グループ化の設定を行うので、当該設定作業が煩わしいという問題がある。また、電波障害物よりも非親機側の住宅用火災警報器には、親機となる住宅用火災警報器を設ける必要があるので、再グループ化が面倒であるという問題がある。
【０００８】
本発明は、火災警報器の再グループ化を容易にかつ迅速に行える火災報知システムを提供することを目的とする。
【課題を解決するための手段】
【０００９】
請求項１に記載の火災警報システムの発明は、火災を検知する火災検知部と；他の火災警報器との間で無線信号を送受信する送受信部と；火災検知部が火災を検知したときにまたは送受信部が他の火災警報器から送信された火災信号を受信したときに火災発生を報知する報知部と；自己のＩＤ番号および無線信号を送受信する他の火災警報器のＩＤ番号を記憶する記憶部と；点検信号を送受信部から送信するとともに、他の火災警報器から送信された点検信号を受信したときには自己のＩＤ番号を付与した返答信号を送信し、自己が送信した点検信号に対する他の火災警報器からの返答信号を入力し、当該返答信号に付与されたＩＤ番号と記憶部に記憶されたＩＤ番号とを対照して返答信号を受信できない他の火災警報器があるか否かを判定し、返答信号を受信できない他の火災警報器があるときには報知部から異状を報知する点検手段と；記憶部に記憶されたＩＤ番号から前記返答信号を受信できない他の火災警報器のＩＤ番号を除いたＩＤ番号が自動的にまたは手動操作により設定されたときに、当該設定されたＩＤ番号を記憶部に上書きするように記憶する設定手段と；を具備する火災警報器が連動動作可能に複数配設されていることを特徴とする。
【００１０】
本発明および以下の各発明において、特に言及しない限り、各構成は以下による。
【００１１】
火災検知部は、例えば、煙を煙検知ユニットで検知し、熱をサーミスタなどの温度センサで検知し、その検知量が予め設定された基準値以上となったときに火災発生を検知する。
【００１２】
無線信号の電波は、特定省電力無線などの規格化された周波数が使用される。
【００１３】
点検信号は、火災信号が送受信部から送信され、また、他の火災警報器から送信された火災信号が送受信部に受信されることを確認するための確認信号である。したがって、報知部は、送受信部が点検信号を受信しても、火災発生を報知しない。
【００１４】
ＩＤ番号は、個々の火災警報器を特定するためのアドレスである。
【００１５】
報知部は、一例として、スピーカによる発音または表示ランプの発光による表示のいずれか一方または両方のいずれを有して構成することができる。
【００１６】
送受信部との間で無線信号を送受信する他の火災警報器は、自己の送受信部との間で無線信号を直接的に送受信する他の火災警報器が中継して自己の送受信部との間で無線信号を送受信するさらに他の火災警報器を包含する。
【００１７】
本発明によれば、点検信号を送信したときに返答信号を送信しない火災警報器のＩＤ番号が記憶部に記憶されなくなり、当該火災警報器が連動動作するグループの火災警報器から除外される。
【００１８】
請求項２に記載の火災警報システムの発明は、請求項１に記載の火災警報システムの発明において、点検手段は、送受信部が所定期間に亘って点検信号を受信しないときには、点検信号を送受信部から送信することを特徴とする。
【００１９】
所定期間は、この期間内に、一の火災警報器から点検信号が送信される期間を意味する。したがって、所定期間に亘って点検信号を受信しない火災警報器は、他の火災警報器と連動動作しないことを意味する。
【００２０】
本発明によれば、所定期間に亘って点検信号を受信しない火災報知器は、点検信号を送信することにより、返答信号が送信されない火災警報器のＩＤ番号を除いたＩＤ番号を記憶部に記憶し、自己と連動動作する火災警報器をグループ化する。
【００２１】
請求項３に記載の火災警報システムの発明は、請求項１または２に記載の火災警報システムの発明において、点検手段は、自己のＩＤ番号を付与した返答信号を送受信部から送信したときに、これを報知部から予め設定された設定期間に亘って報知することを特徴とする。
【００２２】
報知部は、火災発生の報知および返答信号の送信の報知が一体または別体のいずれに形成されていてもよい。
【００２３】
本発明によれば、返答信号の送信の有無が報知部による報知により確認されるので、点検信号を受信しなく返答信号を送信しない火災報知器が特定される。
【００２４】
請求項４に記載の火災警報システムの発明は、請求項１ないし３に記載の火災警報システムの発明において、点検手段は、自己のＩＤ番号を付与した点検信号を送受信部から送信するとともに、送受信部が受信した他の火災警報器から送信された点検信号および返答信号を入力し、点検信号および返答信号に付与されたそれぞれのＩＤ番号と記憶部に記憶されたＩＤ番号とを対照して返答信号を受信できない他の火災警報器があるか否かを判定することを特徴とする。
【００２５】
本発明によれば、送受信部が受信した点検信号および返答信号に付与されたそれぞれのＩＤ番号と記憶部に記憶されたＩＤ番号とを対照して送受信部との間で返答信号を受信できない他の火災警報器が自動的に特定される。
【発明の効果】
【００２６】
請求項１の発明によれば、各火災警報器の記憶部に連動動作される各火災警報器のＩＤ番号が記憶され、点検信号に対して返答信号を送信しない火災警報器のＩＤ番号が記憶部に記憶されなくすることにより、連動動作する火災警報器を再グループ化するので、火災警報器の再グループ化を容易にかつ迅速に行うことができて、省力化を図ることができる。
【００２７】
請求項２の発明によれば、点検手段は、送受信部が所定期間に亘って点検信号を受信しないときには、点検信号を送受信部から送信するので、自己の火災警報器と連動動作する他の火災警報器とをグループ化することができる。
【００２８】
請求項３の発明によれば、点検信号に対する返答信号の送信の有無を報知部による報知により確認することができるので、点検信号を受信しなく返答信号を送信しない火災報知器を容易に特定することができて、手動操作により当該火災警報器のＩＤ番号を記憶部に記憶されたＩＤ番号から除くことができ、これにより、火災警報器の再グループ化を容易にかつ迅速に行うことができる。
【００２９】
請求項４の発明によれば、送受信部が受信した他の火災警報器から送信された点検信号および返答信号を入力し、点検信号および返答信号に付与されたそれぞれのＩＤ番号と記憶部に記憶されたＩＤ番号とを対照して返答信号を受信できない他の火災警報器を特定するので、自動により当該火災警報器のＩＤ番号を記憶部に記憶されたＩＤ番号から除くことができて、火災警報器の再グループ化を自動的に行うことができる。
【図面の簡単な説明】
【００３０】
【図１】本発明の実施例１を示す火災警報システムを示すブロック図。
【図２】同じく、火災警報器の要部構成を示すブロック図。
【図３】同じく、火災警報器の概略斜視図。
【図４】同じく、火災警報器の概略平面図。
【図５】同じく、火災警報器の概略側面図。
【図６】同じく、火災警報器の概略側断面図。
【発明を実施するための形態】
【００３１】
以下、本発明の一実施の形態について、図面を参照して説明する。
【００３２】
本発明は、火災警報器が連動動作可能に複数配設された火災警報システムであり、各火災警報器は、連動動作する火災警報器のＩＤ番号をそれぞれの記憶部に記憶している。そして、点検信号に対する返答信号を受信できない火災警報器があると、当該火災警報器のＩＤ番号を記憶部に記憶しているＩＤ番号から除去し、連動動作する火災警報器を再グループ化するものである。
【実施例１】
【００３３】
図１ないし図６は、本発明の実施例１を示し、火災警報システムおよびその火災警報器を説明するものである。
【００３４】
図１において、火災警報システム１は、複数の火災警報器２が無線信号を送受信して連動動作するように配設されている。各火災警報器２は、それぞれＩＤ番号（アドレス）を有している。すなわち、ＩＤ番号１の火災警報器２は、ＩＤ番号２，３の火災警報器２との間で、ＩＤ番号２の火災警報器２は、ＩＤ番号１，３，４の火災警報器２との間で、ＩＤ番号３の火災警報器２は、ＩＤ番号１，２，４の火災警報器２との間で、ＩＤ番号４の火災警報器２は、ＩＤ番号２，３，５の火災警報器２との間で、ＩＤ番号５の火災警報器２は、ＩＤ番号４の火災警報器との間で、それぞれ無線信号を送受信する。また、ＩＤ番号２，３，４の各火災警報器２は、火災信号、点検信号または返答信号を受信すると、火災連動信号、点検連動信号または返答連動信号を送信する中継機能として動作するものである。こうして、各火災警報器２は、いずれか一の火災警報器２から送信された火災信号に応じて連動動作する１つのグループに構成されている。
【００３５】
図２において、火災警報器１は、住宅用の火災警報器であり、火災検知部３、送受信部４、報知部５、記憶部６、点検手段を構成する点検部７、設定手段を構成する設定部８、これらを制御監視する制御部９を有して構成されている。以下、火災警報器を住宅用火災警報器２として説明する。また、火災警報システムも住宅用火災警報システム１として説明する。
【００３６】
火災検知部３は、煙を検知するものであり、発光素子１０および受光素子１１を備えている。すなわち、発光素子１０の発光により放射された光は、煙の粒子で散乱され、その散乱光が受光素子１１に入射される。そして、受光素子１１の検知量（受光量）に応じた電圧が増幅器１２で増幅され、入出力部１３を介して制御部９に送信される。そして、煙の濃度が高まって煙の粒子が増加し、受光素子１１が検知する検知量に応じた電圧が予め設定された基準値以上になると、制御部９は、火災発生と判断する。このように、火災検知部３は、受光素子１１の検知量に応じて火災を検知する。
【００３７】
送受信部４は、他の住宅用火災警報器２との間で無線信号を送受信するように形成されている。すなわち、アンテナ１４から火災信号を無線信号で送信し、アンテナ１４で連動動作する他の住宅用火災警報器２から送信された火災信号を受信する。制御部９は、火災検知部３が火災を検知したときに、火災信号を送受信部４の入出力部１５に出力する。送受信部４は、当該火災信号を増幅器１６で増幅してアンテナ１４から無線で送信する。また、アンテナ１４で受信した火災信号を増幅し、入出力部１５を介して制御部９に送信するように形成されている。
【００３８】
また、送受信部４は、点検信号を送受信する。点検信号は、火災信号と同等の信号であり、火災信号と区別する識別記号を有している。アンテナ１４から送信される点検信号は、制御部９から入出力部１５に入力され、アンテナ１４で受信した点検信号は、入出力部１５から点検部７に出力される。
【００３９】
また、送受信部４は、自己のＩＤ番号を有する返答信号を送信し、他の住宅用火災警報器２から送信されたＩＤ番号を有する返答信号を受信する。そして、受信した返答信号は、入出力部１５から点検部７および制御部９に出力される。また、送受信部４は、図１で説明したように、火災連動信号、点検連動信号または返答連動信号を送受信するように形成されている。以下、火災信号、点検信号または返答信号は、それぞれ火災連動信号、点検連動信号または返答連動信号を含むものとする。
【００４０】
報知部５は、表示灯としての発光ダイオード１７および音声を発するスピーカ１８を備えている。報知部５は、火災検知部３が火災を検知したときに、または送受信部４が他の住宅用火災警報器２から送信された火災信号を受信したときに、制御部９から入力部１９に警報データおよび点滅データの制御信号が送信される。発光ダイオード１７は、点滅データに応じて例えば０．５秒間隔で点滅する。また、スピーカ１８は、増幅器２０で警報データが増幅され、例えば「ビュービュービュー、火事です、火事です。」という音声メッセージを発する。これにより、屋内の人に火災発生が報知される。
【００４１】
また、報知部５は、制御部９から異状のデータ信号が送信される。発光ダイオード１７は、例えば、例えば１秒間隔で点滅し、スピーカ１８は、例えば、「受信異常のものがあります。」の音声メッセージを発する。すなわち、屋内に火災信号を正常に受信できない住宅用火災警報器２があることが報知される。また、報知部５は、制御部９から返答確認のデータ信号が送信される。発光ダイオード１７は、例えば、例えば１秒間隔で点滅し、スピーカ１８は、例えば、「返答信号を送信しました。」の音声メッセージを発する。すなわち、点検信号に対して返答信号が送信されたことが報知される。
【００４２】
記憶部６は、自己の住宅用火災警報器２のＩＤ番号および送受信部４との間で無線信号を送受信して連動動作する他の住宅用火災警報器２のＩＤ番号を対照表にて記憶している。
【００４３】
点検部７は、操作スイッチ２１を接続している。この操作スイッチ２１がオンオフされると、点検部７は、送受信部４から点検信号を送信するように形成されている。また、点検部７は、タイマー２２を備えている。そして、タイマー２２の計時に応じて所定時間（例えば２４時間）毎に点検開始信号を制御部９に出力する。制御部９は、自己のＩＤ番号に基づいて、点検信号を送信する順番であるか否かを判断し、順番であるとき点検信号を送受信部４から送信させる。また、送受信部４が所定期間に亘って点検信号を受信しないときには、点検信号を送受信部４から送信させる。
【００４４】
また、点検部７は、送受信部４が他の住宅用火災警報器２から送信された点検信号を受信したときには、自己のＩＤ番号を付与した返答信号を送受信部４から送信するとともに、当該送信の返答確認信号を制御部９に送出するように形成されている。制御部９は、報知部５に返答確認のデータ信号を予め設定された設定時間例えば５分に亘って送信する。これにより、発光ダイオード１７およびスピーカ１８により、送受信部４から返答信号が送信されたことが報知される。
【００４５】
そして、点検部７は、点検信号を送信したときに、他の住宅用火災警報器２から送信された返答信号を送受信部４が受信すると、当該返答信号を送受信部４から入力し、返答信号に付与されたＩＤ番号と記憶部６に記憶されたＩＤ番号を対照する。そして、返答信号に付与されたＩＤ番号が記憶部６に記憶されたＩＤ番号に有るか無いかにより、送受信部４との間で無線信号を送受信しない他の住宅用火災警報器２があるか否かを判定する。そして、無線信号を送受信しない他の住宅用火災警報器２があるときには、制御部９に異状信号を送信し、報知部５から異状を報知するように形成されている。
【００４６】
設定部８は、グループ化されるＩＤ番号を記憶部６に上書きするように記憶させるように形成されている。すなわち、報知部５の異状の報知により、自己の住宅用火災警報器２との間で無線信号を送受信しない他の住宅用火災警報器２があることが知らされる。そして、他の住宅用火災警報器２の報知部５において、返答信号の送信の有無の報知を確認することにより、自己の住宅用火災警報器２との間で無線信号を送受信できない他の住宅用火災警報器２を特定することができる。そして、記憶部６に記憶されたＩＤ番号から返答信号を受信できない他の住宅用火災警報器２のＩＤ番号を除いたＩＤ番号が設定されたときに、この設定されたＩＤ番号を記憶部６に記憶させる。
【００４７】
設定部８は、操作スイッチ２１に接続されている。この操作スイッチ２１を一定の時間例えば５秒オンすると、ＩＤ番号の設定モードとなる。そして、例えば一定の時間内のオンオフ操作の回数などにより、ＩＤ番号の数字などを設定される。設定モードを解除するには、操作スイッチ２１を再び一定の時間オンする。そして、無線信号を送受信する住宅用火災警報器２に対してＩＤ番号を設定することにより、無線信号を送受信する住宅用火災警報器２がグループ化される。また、同様に、無線信号を送受信しない住宅用火災警報器２に対して、当該住宅用火災警報器２のＩＤ番号を設定することにより、無線信号を送受信しない住宅用火災警報器２がグループ化される。
【００４８】
制御部９は、マイクロコンピータ（マイコン）に形成され、ＣＰＵ（中央処理装置）２３、ＲＯＭ２４およびＲＡＭ２５を有して構成されている。ＣＰＵ２３は、プログラムに基づいて各種演算や制御を行う。ＲＯＭ２４は、プログラム、火災報知の音声メッセージデータおよび表示データ、異状の音声メッセージデータおよび表示データ、煙検知の基準値、所定時間、設定時間、テーブル化した自己および他の住宅用火災警報器２のＩＤ番号などを記憶している。また、ＲＯＭ２４は、点検部７から送信された判定結果データや演算処理データなどを記憶する。
【００４９】
そして、制御部９は、上述した制御を行う他に、報知部５が火災発生を報知しているときに操作スイッチ２０のオン操作が行われて点検部７から停止信号が送信されると、一定の期間例えば１０分に亘って火災発生を報知する警報データおよび点滅データの制御信号の送信を停止するように形成されている。これにより、報知部５による火災発生の報知が停止される。操作スイッチ２１のオン操作は、火災発生が終了したとき、または連動動作している複数の住宅用火災警報器２のうち、操作スイッチ２１がオン操作された住宅用火災警報器２が火元を検知しているか否かを確認するために行われる。
【００５０】
また、制御部９は、送受信部４が他の住宅用火災警報器２から送信された点検信号を受信したときに、当該点検信号のＩＤ番号をＲＡＭ２５に記憶するとともに、予め設定された順番に対して自己のＩＤ番号の順番が次であるか否かを判断する。そして、次の順番であるときに、点検部７から点検開始信号が出力されると、自己のＩＤ番号を有する点検信号を送受信部４から他の住宅用火災警報器２に対して送信するように形成されている。
【００５１】
そして、制御部９には、電池２６が接続されている。制御部９は、その制御により、火災検知部３ないし設定部８などに対して動作電源を供給している。電池２６は、例えばリチウム電池である。
【００５２】
なお、点検部７および制御部９は、点検手段を構成し、設定部８および制御部９は、設定手段を構成している。そして、点検部７および設定部８は、制御部９と一体化に構成されていてもよい。すなわち、制御部９が点検部７および設定部８の機能を有するように構成されてもよい。
【００５３】
そして、火災検知部３は、煙検知ユニット２７に、送受信部４ないし制御部９は、無線ユニット２８に構成されている。
【００５４】
住宅用火災警報器２は、図３および図４に示すように、火災警報器本体を構成するケース本体２９と、このケース本体２９内に設けられた煙検知ユニット２７とを有して構成されている。
【００５５】
ケース本体２９は、住宅用火災警報器２を平面視したときに、円形形状を有し、カバー３０と、このカバー３０が着脱自在に取付けられるベース部３１とを有して構成される。なお、ベース部３１は、天井等に取り付けられる取り付け面を有している。
【００５６】
カバー３０は、カバー表面３０ａより高さ方向に突出するカバー蓋部３２と、このカバー蓋部３２とカバー表面３０ａとの間に設けられた、煙を導入するための開口部３３とを有して構成されている。カバー蓋部３２は、住宅用火災警報器２を平面視したときに円形形状を有し、カバー３０の延設部３０ｂを介して、カバー３０と一体的に構成されている。
【００５７】
また、カバー３０上には、操作スイッチ２１と、報知用開口溝３４が設けられている。操作スイッチ２１は、押下することでオンする。操作スイッチ２１は、その操作部が内部に設けられた発光ダイオード１７による光が透過する材質で形成されている。報知用開口溝３４は、ケース本体２９内に設けられたスピーカ１８などからの音声を効果的に外部へと伝えるための貫通孔である。
【００５８】
煙検知ユニット２７は、図５に示すように、例えば円筒状に構成されたもので、側面部２７ａの外周面全体が煙を導入する導入部分として構成されている。この側面部２７ａの外周面には、煙などの気体が通過可能で、かつ、虫などが侵入しないように図示しない防虫金網等が設けられている。
【００５９】
また、煙検知ユニット２７の内部には、火災検知部３が収容されている。そして、図示はしないが、発光素子１０と、受光素子１１とが同心円状で、かつ、この同心円の中心と発光素子１０および受光素子１１のそれぞれを結ぶ線分が所定の角度となるように配置されている。煙検知ユニット２７は、電源がオン状態である場合、発光素子１０から定期的に光が出射されている。そして、侵入した煙の検知量に応じて火災を検知する。
【００６０】
ケース本体２９は、図６に示すように、その内部にカバー３０に取り付けられる中底部材３５が設けられている。無線ユニット２８は、中底部材３５に固定されている。そして、無線ユニット２８からアンテナ１４が延出されている。
【００６１】
そして、中底部材３５には、電池収容部３６が設けられている。この電池収容部３６に、電池としてのリチウム電池２６が収容されている。
【００６２】
上述の住宅用火災警報器２は、図１に示すように、その複数個が無線信号を送受信可能に配設されることにより、火災警報システムとしての住宅用火災警報システム１が構成されている。そして、１つの住宅用火災警報器２が火災発生を検知すると、住宅用火災警報器２の報知部５から火災発生が報知される。
【００６３】
次に、本発明の実施例１の作用について述べる。
【００６４】
図１において、例えばＩＤ番号３の住宅用火災警報器２の火災検知部３が火災発生を検知すると、当該住宅用火災警報器２の報知部５より火災発生が報知されるとともに、送受信部４から火災信号が送信される。ＩＤ番号１，２，４の住宅用火災警報器２は、当該火災信号を受信し、それぞれの報知部５が火災発生を報知する。また、ＩＤ番号５の住宅用火災警報器２は、ＩＤ番号４の住宅用火災警報器２から送信される火災連動信号を受信して、火災発生を報知する。各住宅用火災警報器２は、グループ化されていて、グループ内で火災発生を報知するものである。そして、住宅用火災警報システム１は、定期的にまたは任意の時間に、１つの住宅用火災警報器２から点検信号を送信して、連動動作の確認作業が行われる。
【００６５】
各住宅用火災警報器２が連動動作可能であるときに、例えば、ＩＤ番号２，３の住宅用火災警報器２と、ＩＤ番号４の住宅用火災警報器２との間に、図１に示すように、例えば金属棚などの電波障害物３７が設置されたとする。すなわち、ＩＤ番号２，３の住宅用火災警報器２と、ＩＤ番号４の住宅用火災警報器２との間では、無線信号を送受信できなくなったとする。そして、例えばＩＤ番号１の住宅用火災警報器２から点検信号が送信されると、ＩＤ番号２，３の住宅用火災警報器２からは返答信号が送信され、当該返答信号は、ＩＤ番号１の住宅用火災警報器２の点検部７に入力される。一方、ＩＤ番号４，５の住宅用火災警報器２からは、返答信号が送信されないので、当該返答信号は、ＩＤ番号１の住宅用火災警報器２の点検部７に入力されない。
【００６６】
点検部７は、入力した返答信号のＩＤ番号と、記憶部６に記憶しているＩＤ番号とを対照する。そして、返答信号を入力しないＩＤ番号を有する住宅用火災警報器２があるので、制御部９に異状信号を送出して、報知部５から異状を報知する。この報知により、屋内の人は、ＩＤ番号１の住宅用火災警報器２において、連動動作しない住宅用火災警報器２があることを認識することができる。
【００６７】
また、ＩＤ番号４，５の住宅用火災警報器２は、送受信部４が所定期間（例えば２４時間）に亘って点検信号を受信しないと、問えばＩＤ番号４の住宅用火災警報器２の点検部７が点検信号を送受信部４から送信する。当該点検部７には、ＩＤ番号５の住宅用火災警報器２から送信された返答信号が入力されるが、ＩＤ番号１〜３の住宅用火災警報器２からの返答信号が入力されない。ＩＤ番号４の住宅用火災警報器２の報知部５から異状が報知され、屋内の人は、ＩＤ番号４の住宅用火災警報器２において、連動動作しない住宅用火災警報器２があることを認識することができる。
【００６８】
ＩＤ番号１の住宅用火災警報器２の報知部５の異状の報知により、連動動作しない住宅用火災警報器２があることを知ったときに、ＩＤ番号１の住宅用火災警報器２の操作スイッチ２１を操作して、点検信号を送信する。ＩＤ番号２，３の住宅用火災警報器２は、返答信号を送信したときに、そのことを報知部５にて予め設定された設定期間に亘って報知する。一方、ＩＤ番号４，５の住宅用火災警報器２は、返答信号を送信しないので、返答信号を送信したことを報知しない。これにより、屋内の人は、ＩＤ番号１の住宅用火災警報器２と、ＩＤ番号２，３の住宅用火災警報器２との間で無線信号を送受信し、ＩＤ番号１の住宅用火災警報器２と、ＩＤ番号４，５の住宅用火災警報器２との間で無線信号を送受信しないことを確認することができる。
【００６９】
そして、ＩＤ番号１の住宅用火災警報器２において、操作スイッチ２１を操作して、ＩＤ番号１〜３を設定すると、設定部８により、設定されたＩＤ番号が記憶部６に上書きするようにして記憶される。以下、順次、ＩＤ番号２の住宅用火災警報器２、ＩＤ番号３の住宅用火災警報器２において上記設定を行う。これにより、ＩＤ番号１〜３の住宅用火災警報器２がグループ化されるとともに、報知部５での異状の報知がなくなる。
【００７０】
また、ＩＤ番号４の住宅用火災警報器２の報知部５の異状の報知により、連動動作しない住宅用火災警報器２があることを知ったときには、ＩＤ番号４の住宅用火災警報器２の操作スイッチ２１を操作して、点検信号を送信する。ＩＤ番号５の住宅用火災警報器２は、返答信号を送信したときに、そのことを報知部５にて予め設定された設定期間に亘って報知する。一方、ＩＤ番号１〜３の住宅用火災警報器２は、返答信号を送信しないので、返答信号を送信したことを報知しない。これにより、屋内の人は、ＩＤ番号４の住宅用火災警報器２と、ＩＤ番号５の住宅用火災警報器２との間で無線信号を送受信し、ＩＤ番号４の住宅用火災警報器２と、ＩＤ番号１〜３の住宅用火災警報器２との間で無線信号を送受信しないことを確認することができる。
【００７１】
そして、ＩＤ番号４の住宅用火災警報器２において、操作スイッチ２１を操作して、ＩＤ番号４，５を設定すると、設定部８により、設定されたＩＤ番号が記憶部６に上書きするようにして記憶される。また、ＩＤ番号５の住宅用火災警報器２においても同様に上記設定を行う。これにより、ＩＤ番号４，５の住宅用火災警報器２がグループ化されるとともに、ＩＤ番号４の住宅用火災警報器２の報知部５での異状の報知をなくすことができる。
【００７２】
上述したように、各住宅用火災警報器２の記憶部６に連動動作される各住宅用火災警報器２のＩＤ番号が記憶され、点検信号に対して返答信号を送信しない住宅用火災警報器２のＩＤ番号が記憶部６に記憶されなくすることにより、連動動作する住宅用火災警報器２をグループ化することができるので、住宅用火災警報器２の再グループ化を容易にかつ迅速に行うことができて、省力化を図ることができる。
【００７３】
そして、点検部７は、送受信部４が所定期間（例えば２４時間）に亘って点検信号を受信しないときには、点検信号を送受信部４から送信するので、自己の住宅用火災警報器２と連動動作する他の住宅用火災警報器２とをグループ化することができる。
【００７４】
また、点検信号に対する返答信号の送信の有無を報知部５による報知により確認することができるので、点検信号を受信しなく返答信号を送信しない住宅用火災報知器２を容易に特定することができて、操作スイッチ２１の手動操作により当該住宅用火災警報器２のＩＤ番号を記憶部６に記憶されたＩＤ番号から除くことができ、これにより、住宅用火災警報器２の再グループ化を容易にかつ迅速に行うことができる。
【００７５】
なお、点検部７は、自己の住宅用火災警報器２のＩＤ番号を付与した点検信号を送受信部４から送信するとともに、送受信部４が受信した他の住宅用火災警報器２から送信された点検信号および返答信号を入力し、点検信号および返答信号に付与されたそれぞれのＩＤ番号と記憶部６に記憶されたＩＤ番号とを対照して返答信号を受信できない他の住宅用火災警報器２があるか否かを判定するように形成されてもよい。これにより、自己の住宅用火災警報器２の送受信部４との間で無線信号を送受信しない他の住宅用火災警報器２を容易に特定するので、住宅用火災警報器２のＩＤ番号を記憶部６に記憶されたＩＤ番号から自動的に除くことができて、住宅用火災警報器２の再グループ化を自動的に行うことができる。
【産業上の利用可能性】
【００７６】
本発明は、屋内で設置される複数の住宅用火災警報器を無線信号で連動動作する住宅用火災警報システムに利用することができる。
【符号の説明】
【００７７】
１…火災警報器システムとしての住宅用火災報知システム、  ２…火災警報器としての住宅用火災報知器、  ３…火災検知部、  ４…送受信部、  ５…報知部６…記憶部、  ７…点検手段を構成する点検部、  ８…設定手段を構成する設定部
【図１】
2011232994.tif 000003
【図２】
2011232994.tif 000004
【図３】
2011232994.tif 000005
【図４】
2011232994.tif 000006
【図５】
2011232994.tif 000007
【図６】
2011232994.tif 000008